(57)【要約】  【課題】  大量の文字情報の入力時であっても、画像の表示面積が少なくなるのを防止して、大きさの限られた液晶表示パネルを有効に活用することができるとともに、入力部の面積を広くして入力作業の作業を向上させることができる液晶表示装置を提供すること。  【解決手段】  筐体２と、筐体２に取付けられた液晶表示パネル３と、液晶表示パネル３に対向して筐体２の前面に設けられた液晶表示パネル４と、液晶表示パネル４の表示面に装着されたタッチパネル５とを備え、液晶表示パネル３、４を重ねて筐体２に収納する第１の状態と、液晶表示パネル４を液晶表示パネル３から離隔するように筐体２の外方に移動させることにより、液晶表示パネル３を露出させる第２の状態との間で移動させる。【選択図】  図９
2005189467.tif 000002
【特許請求の範囲】
【請求項１】
筐体と、前記筐体に取付けられた第１液晶表示パネルと、前記第１液晶表示パネルに対向して前記筐体の前面に設けられた第２液晶表示パネルと、前記第２液晶表示パネルの表示面に装着されたタッチパネルとを備え、
前記第１液晶表示パネルおよび前記第２液晶表示パネルを重ねて前記筐体に収納する第１の状態と、前記第２液晶表示パネルを前記第１液晶表示パネルから離隔するように前記筐体の外方に移動させることにより、前記第１液晶表示パネルを露出させる第２の状態との間で移動させることを特徴とする液晶表示装置。
【請求項２】
前記第２液晶表示パネルの上部に設けられた凸部と、前記筐体の側板に形成され、前記凸部が嵌合するガイドレールと、前記筐体内に設けられるとともに先端部が前記第２液晶表示パネルの下部に取付けられた移動手段とを備え、
前記移動手段が前記第２液晶表示パネルの下部を押圧すると、前記第２液晶表示パネルの上部がガイドレールに沿って下降するとともに前記第２液晶表示パネルが筐体から外方に突出し、前記移動手段が前記第２液晶表示パネルの下部を引張ると、前記第２液晶表示パネルの上部がガイドレールに沿って上昇するとともに前記第２液晶表示パネルが筐体に収納されることを特徴とする請求項１記載の液晶表示装置。
【請求項３】
前記第２液晶表示パネルが前記第２の状態にあるときに、前記第２液晶表示パネルと前記第１液晶表示パネルの端部が当接して連続することを特徴とする請求項１または請求項２記載の液晶表示装置。
【発明の詳細な説明】
【技術分野】
【０００１】
本発明は、ナビゲーション装置やパーソナルコンピュータ等に使用される画像を表示する液晶表示装置に関する。
【背景技術】
【０００２】
従来から画像を表示する液晶表示装置、例えば、車載用のナビゲーション装置にあっては、ユーザの使い勝手を向上させるために、液晶表示画面上にタッチパネルを配置し、液晶表示パネルを用いて、道案内の画像等をメニューと共に表示するようにしている。このため、ユーザは必要に応じてメニューの操作により、道案内等の画像を拡大する等の操作を実行することができる。ところで、車載用のナビゲーション装置の表示画面は小型の液晶表示パネルが使用されているため、各種表示が見難い。
【０００３】
このような不具合を解消するものとしては、特許文献１に示すものがある。このものは、画像表示部と、画像表示部の表面に配置される透過型のタッチパネルと、タッチパネルへのユーザの指の近接を検知する指近接検出部およびタッチパネルによる検出結果に応じて画像表示部の動作を制御する制御部とを備え、指が検出されると、画像表示部に操作可能なメニューを表示し、タッチパネルを押下したときのメニューの操作を検出するようになっている。
【０００４】
このため、タッチパネルに指が近づけられるまでは、メニューを表示することなく、このメニューの表示領域を含むような大きな領域で地図等の種々の情報をユーザに提供することができ、限られた表示画面を有効に利用して、種々の情報を確実に提供することができるものである。
【特許文献１】特開２０００−３５８１６２（〔０００８〕、図１参照）
【発明の開示】
【発明が解決しようとする課題】
【０００５】
しかしながら、このような液晶表示装置にあっては、タッチパネルに指が近づけられるまでは、メニューを表示することがないが、タッチパネルに指が近づけられると、画像表示部に操作可能なメニューを表示しているので、入力時に表示メニューの分だけ画像表示部の表示面積が少なくなってしまうという問題があった。
【０００６】
特に、メール等のように大量の情報を入力する液晶表示装置にあっては、操作キーが必要になってしまうので、画像表示部に対する操作キーの表示面積が増大してしまい、入力時に操作キーの表示面積の分だけ画像の表示面積がより一層少なくなってしまい、入力作業が困難であるとともに、表示が見難くなってしまうという問題が発生してしまう。
【０００７】
また、画像表示部の表示面積が少なくならないようにするためには、操作キーの表示面積を小さくする必要があるので、入力作業の作業性が低下してしまうという問題があった。
【０００８】
本発明はこのような問題を解決するためになされたもので、大量の文字情報の入力時であっても、画像の表示面積が少なくなるのを防止して、大きさの限られた液晶表示パネルを有効に活用することができるとともに、入力部の面積を広くして入力作業の作業を向上させることができる液晶表示装置を提供するものである。
【課題を解決するための手段】
【０００９】
本発明の液晶表示装置は、筐体と、前記筐体に取付けられた第１液晶表示パネルと、前記第１液晶表示パネルに対向して前記筐体の前面に設けられた第２液晶表示パネルと、前記第２液晶表示パネルの表示面に装着されたタッチパネルとを備え、前記第１液晶表示パネルおよび前記第２液晶表示パネルを重ねて前記筐体に収納する第１の状態と、前記第２液晶表示パネルを前記第１液晶表示パネルから離隔するように前記筐体の外方に移動させることにより、前記第１液晶表示パネルを露出させる第２の状態との間で移動させるものから構成される。
【００１０】
この構成により、タッチパネルに大量の文字情報の入力を行なわずに画像を表示する場合には、第１液晶表示パネルおよび第２液晶表示パネルを第１の状態にセットすることにより、第２液晶表示パネルに画像を表示する一方、タッチパネルに大量の文字情報の入力を行なう場合には、第２液晶表示パネルを第２の状態にセットし、第２液晶表示パネルに設けられたタッチパネルに入力を行なうとともに、第１液晶表示パネルに表示を行なうので、大量の文字情報の入力時であっても、画像の表示面積が少なくなるのを防止して、大きさの限られた液晶表示パネルを有効に活用することができる。さらに、入力部の面積を広くして入力作業の作業性を向上させることができる。
【００１１】
また、本発明の液晶表示装置は、前記第２液晶表示パネルの上部に設けられた凸部と、前記筐体の側板に形成され、前記凸部が嵌合するガイドレールと、前記筐体内に設けられるとともに先端部が前記第２液晶表示パネルの下部に取付けられた移動手段とを備え、前記移動手段が前記第２液晶表示パネルの下部を押圧すると、前記第２液晶表示パネルの上部がガイドレールに沿って下降するとともに前記第２液晶表示パネルが筐体から外方に突出し、前記移動手段が前記第２液晶表示パネルの下部を引張ると、前記第２液晶表示パネルの上部がガイドレールに沿って上昇するとともに前記第２液晶表示パネルが筐体に収納されるものから構成される。
【００１２】
この構成により、移動手段によって第２液晶表示パネルを第１の状態と第２の状態の間で自動的に移動させることができる。
【００１３】
また、本発明の液晶表示装置は、前記第２液晶表示パネルが前記第２の状態にあるときに、前記第２液晶表示パネルと前記第１液晶表示パネルの端部が当接して連続するものから構成される。
【００１４】
この構成により、第１液晶表示パネルおよび第２液晶表示パネル全体に画像を表示するときに、連続した画像を表示することができる。
【発明の効果】
【００１５】
以上説明したように、本発明は、大量の文字情報の入力時であっても、画像の表示面積が少なくなるのを防止して、大きさの限られた液晶表示パネルを有効に活用することができるとともに、入力部の面積を広くして入力作業の作業を向上させることができる液晶表示装置を提供することができる。
【発明を実施するための最良の形態】
【００１６】
以下、本発明の実施の形態について、図面を用いて説明する。
【００１７】
図１乃至図９は、本発明の液晶表示装置の一実施の形態を示す図である。
【００１８】
まず、構成を説明する。図１、図２において、液晶表示装置１はＰＣ（パーソナルコンピュータ）から構成されており、テレビ、ナビゲーション機能、メール送信、インターネット接続等の種々の機能を実行するようになっている。液晶表示装置１はＰＣに限らず、インターネット接続可能なナビゲーション装置やインターネット接続可能なテレビ、あるいはインターネット接続可能なゲーム機器等であっても良い。
【００１９】
液晶表示装置１の筐体２には液晶表示パネル（第１液晶表示パネル）３および液晶表示パネル（第２液晶表示パネル）４が対向して取付けられており、液晶表示パネル３は液晶表示パネル４に対して筐体２の前面側に設置されている。
【００２０】
なお、液晶表示パネル３、４としては種々のものを用いることが可能である。例えば、セグメント信号電極群とコモン信号電極群とが交互に配置され、各信号電極の交点に選択的に電圧を印加することによって液晶分子の配列を局部的に変更し、液晶分子の配列が変更された部分と変更されない部分との明暗の差から画像を表示する、所謂ドットマトリクス型の液晶表示パネルが一般的である。
【００２１】
また、液晶表示パネル４の表示面にはタッチパネル５が設けられており、このタッチパネル５は横方向に平行に延在する上部スイッチ電極を有するパネルと、このパネルの下部に設けられ、上部スイッチ電極に対して直交して縦方向に平行に延在する下部スイッチ電極を有するパネルを有し、パネル面の一部を押圧すると上部スイッチと下部スイッチの一部が選択的に導通させることにより、出力されるパルス信号に基づいてその位置情報を検出するようになっている。
【００２２】
また、筐体２の側板２ａ、２ｂには筐体２の前後方向に延在する４つのガイドレール６および上下方向に延在する２つのガイドレール７が形成されており、ガイドレール６はガイドレール７に対して筐体２の後方に位置している。
【００２３】
また、液晶表示パネル３の上部両側および下部両側には４つの凸部３ａが形成されており、この凸部３ａはガイドレール６に挿通されている。また、液晶表示パネル４の上部両側には一対の凸部４ａが形成されており、この凸部４ａはガイドレール７に挿通されている。
【００２４】
また、筐体２の下部両側には脚部８が設けられており、この脚部８の開口端部８ａには液晶表示パネル４の下部両側に設けられた舌部４ｂが位置するようになっている。
【００２５】
また、筐体２の内部には３つの移動手段１０、１１、１２が設けられており、この移動手段１０、１１、１２は、図３に示すように、モータ１３と、モータの回転軸に取付けられたボールネジ１４と、内周面にボールネジ１４に螺合する溝が形成され、ボールネジ１４の回転に伴って筐体２の前後方向に移動するロッド１５と、ロッド１５の先端に設けられたボール部１６とを備えている。
【００２６】
また、移動手段１０は後板２ｃの略中央部に設けられた支持部材９（図４参照）にモータ１３が取付けられることによって筐体２に固定されており、この移動手段１０のボール部１６は液晶表示パネル３に取付けられている。
【００２７】
このため、モータ１３を回転させるとボールネジ１４の回転に伴ってロッド１５が筐体２の前後方向に移動することにより、液晶表示パネル３をガイドレール６に沿って筐体２の前後方向に移動させるようになっている。
【００２８】
また、移動手段１１、１２はモータ１３が脚部８の内周部に固定されることによって筐体２に支持されており、この移動手段１１、１２のボール部１６は液晶表示パネル４に取付けられている。
【００２９】
このため、モータ１３を一方向に回転させるとボールネジ１４の回転に伴ってロッド１５が筐体２の前方に移動することにより、液晶表示パネル４の舌部４ｂを押圧し、液晶表示パネル４の凸部４ａがガイドレール７に沿って下降して液晶表示パネル４を液晶表示パネル３から離隔させて筐体２から外方に突出させ、液晶表示パネル３を筐体２から露出させるようになっている（この状態が第２の状態である）。また、液晶表示パネルが第２の状態にあるときに、液晶表示パネル３の下端部が液晶表示パネル４の上端部が当接して連続するようになっている。
【００３０】
また、モータ１３を他方向に回転させるとボールネジ１４の回転に伴ってロッド１５が筐体２の後方に移動することにより、第２液晶表示パネル４の舌部４ｂを引張って第２液晶表示パネル４の凸部４ａがガイドレール７に沿って上昇して液晶表示パネル４を筐体２内に収納するようになっている（この状態が第１の状態である）。
【００３１】
以上の構成を有する本実施の形態では、図１、図５（ａ）に示すように液晶表示パネル３および液晶表示パネル４が第１の状態にあるときには、例えば、テレビ画像を表示する。
【００３２】
この状態から液晶表示パネル４の表示面に設けられたタッチパネル５の表示切換えキー５ａを押下すると、図示しないコントローラによって移動手段１１、１２のモータ１３が一方向に回転する。このとき、ボールネジ１４の回転に伴ってロッド１５が筐体２の前方に移動することにより、液晶表示パネル４の舌部４ｂを押圧し、液晶表示パネル４の凸部４ａがガイドレール７に沿って下降して液晶表示パネル４を筐体２から外方に突出させる。この流れを図６、図７、図８に示す。
【００３３】
次いで、コントローラによって移動手段１０のモータ１３を一方向に回転させ、ボールネジ１４の回転に伴ってロッド１５を筐体２の前方に移動させることにより、液晶表示パネル３をガイドレール６に沿って筐体２の前方に移動させる（図８、図５（ｂ）参照）。
【００３４】
このとき、図９に示すように、液晶表示装置１がノートパソコンのような形状に変化するので、液晶表示パネル４をキーボードとして表示させることにより、液晶表示パネル４の表示面に設けられたタッチパネル５にメールの文字入力を行なったり、インターネット接続を行なって掲示板等に文字入力を行なったり、あるいはナビゲーション用の種々の入力を行なう。このときに、液晶表示パネル３に入力情報や入力結果が表示される。また、大画面でテレビやビデオ画像を見たりする場合には、液晶表示パネル３、４の全面に映像の表示を行なう。
【００３５】
一方、液晶表示パネル４を筐体２に収納する場合には、タッチパネル５上の表示切換えキー５ａを押下すると、コントローラによって移動手段１０のモータ１３を他方向に回転させ、ボールネジ１４の回転に伴ってロッド１５を筐体２の後方に移動させることにより、液晶表示パネル３をガイドレール６に沿って筐体２の後方に移動させる。
【００３６】
次いで、コントローラによって移動手段１１、１２のモータ１３を他方向に回転させる。このとき、ボールネジ１４の回転に伴ってロッド１５が筐体２の後方に移動することにより、液晶表示パネル４の舌部４ｂを引張るため、液晶表示パネル４の凸部４ａがガイドレール７に沿って上昇して液晶表示パネル４が筐体２に収納され、液晶表示パネル３および液晶表示パネル４が対向する。
【００３７】
このように本実施の形態では、タッチパネル５に大量の文字情報の入力を行なわずに画像を表示する場合には、液晶表示パネル３、４を第１の状態にセットすることにより、液晶表示パネル４に画像を表示する一方、タッチパネル５に大量の文字情報の入力を行なう場合には、液晶表示パネル４を第２の状態にセットし、液晶表示パネル４に設けられたタッチパネル５に入力を行なうとともに、液晶表示パネル３に表示を行なうので、大量の文字情報の入力時であっても、画像の表示面積が少なくなるのを防止して、大きさの限られた液晶表示パネル３、４を有効に活用することができる。さらに、入力部の面積を広くして入力作業の作業性を向上させることができる。
【００３８】
また、本実施の形態の液晶表示装置１は、液晶表示パネル４の上部に設けられた凸部４ａと、筐体２の側板２ａ、２ｂに形成され、凸部４ａが嵌合するガイドレール７と、筐体２内に設けられるとともに先端部が液晶表示パネル４の舌部４ｂに取付けられた移動手段１１、１２とを備え、移動手段１１、１２が液晶表示パネル４の舌部４ｂを押圧すると、液晶表示パネル４の上部がガイドレール７に沿って下降するとともに液晶表示パネル４が筐体２から外方に突出し、移動手段１１、１２が液晶表示パネル４の舌部４ｂを引張ると、液晶表示パネル４の上部がガイドレール７に沿って上昇するとともに液晶表示パネル４が筐体２に収納されるようにしたので、移動手段１１、１２によって液晶表示パネル４を第１の状態と第２の状態の間で自動的に移動させることができる。
【００３９】
また、液晶表示パネルが第２の状態にあるときに、液晶表示パネル３の下端部が液晶表示パネル４の上端部が当接して連続するようにしたので、液晶表示パネル３、４全体に画像を表示するときに、連続した画像を表示することができる。
【産業上の利用可能性】
【００４０】
以上のように、本発明に係る液晶表示装置は、大量の文字情報の入力時であっても、画像の表示面積が少なくなるのを防止して、大きさの限られた液晶表示パネルを有効に活用することができるとともに、入力部の面積を広くして入力作業の作業を向上させることができるという効果を有し、パーソナルコンピュータやナビゲーション装置等に適用すれば有用である。
【図面の簡単な説明】
【００４１】
【図１】本発明の一実施の形態に係る液晶表示装置の斜視図
【図２】本発明の一実施の形態に係る液晶表示装置の筐体および液晶表示パネルの分解図
【図３】本発明の一実施の形態に係る液晶表示装置に内蔵された移動手段を示す図（ａ）移動手段の斜視図（ｂ）移動手段の側面図
【図４】本発明の一実施の形態に係る液晶表示装置の断面図（ａ）液晶表示装置の横断面図（ｂ）液晶表示装置の縦断面図
【図５】本発明の一実施の形態に係る液晶表示装置の正面図（ａ）液晶表示パネルが第１の状態にあるときの液晶表示装置の正面図（ｂ）液晶表示パネルが第２の状態にあるときの液晶表示装置の正面図
【図６】本発明の一実施の形態に係る液晶表示装置が第１の状態から第２の状態に変化する状態を示す図
【図７】図６に後続する状態変化を示す図
【図８】図７に後続する状態変化を示す図
【図９】本発明の一実施の形態に係る液晶表示装置が第２の状態にあるときの斜視図
【符号の説明】
【００４２】
１  液晶表示装置
２  筐体
３  液晶表示パネル（第１液晶表示パネル）
４  液晶表示パネル（第２液晶表示パネル）
４ａ  凸部
４ｂ  舌部（下部）
５  タッチパネル
７  ガイドレール
１１、１２  移動手段
【図１】
2005189467.tif 000003
【図２】
2005189467.tif 000004
【図３】
2005189467.tif 000005
【図４】
2005189467.tif 000006
【図５】
2005189467.tif 000007
【図６】
2005189467.tif 000008
【図７】
2005189467.tif 000009
【図８】
2005189467.tif 000010
【図９】
2005189467.tif 000011